(57)【要約】【課題】  発光装置と撮像装置とが電波による無線通信を行う場合に、通信の信頼性を確保するとともに、撮像装置の露光と発光装置の本発光とを適正なタイミングで合わせることができるようにする。【解決手段】  所定の間隔で複数回発光装置へ出力される発光指示のうち最初の発光指示が出力されるタイミングと、走行開始指示に従って走行したシャッター幕が走行完了するタイミングとの間隔が一定となるように、最初の発光指示を出力するタイミング、及び、シャッター幕の走行開始を指示するタイミングの少なくとも一方を補正する。【選択図】  図６
2012150285.tif 000002
【特許請求の範囲】
【請求項１】
無線通信部を介して発光装置と電波による無線通信が可能な撮像装置であって、
撮像素子と、
前記撮像素子の露光を開始させる方向へ走行するシャッター幕を有するシャッターユニットと、
前記発光装置への発光指示を所定の間隔で複数回出力する出力手段と、
前記シャッター幕の走行開始を指示する指示手段と、
前記出力手段により複数の前記発光指示のうち最初の前記発光指示が出力されるタイミングと、前記指示手段の指示に従って走行した前記シャッター幕が走行完了するタイミングとの間隔が一定となるように、前記出力手段が複数の前記発光指示のうち最初の前記発光指示を出力するタイミング、及び、前記指示手段が前記シャッター幕の走行開始を指示するタイミングの少なくとも一方を補正する補正手段と、を有することを特徴とする撮像装置。
【請求項２】
発光装置と、当該発光装置と無線通信部を介して電波による無線通信が可能な撮像装置を含むカメラシステムであって、
撮像素子と、
前記撮像素子の露光を開始させる方向へ走行するシャッター幕を有するシャッターユニットと、
前記発光装置への発光指示を所定の間隔で複数回出力する出力手段と、
前記シャッター幕の走行開始を指示する指示手段と、
前記出力手段により複数の前記発光指示のうち最初の前記発光指示が出力されるタイミングと、前記指示手段の指示に従って走行した前記シャッター幕が走行完了するタイミングとの間隔が一定となるように、前記出力手段が複数の前記発光指示のうち最初の前記発光指示を出力するタイミング、及び、前記指示手段が前記シャッター幕の走行開始を指示するタイミングの少なくとも一方を補正する補正手段と、を有することを特徴とするカメラシステム。
【発明の詳細な説明】
【技術分野】
【０００１】
本発明は、発光装置と電波による無線通信が可能な撮像装置に関する。
【背景技術】
【０００２】
従来の通信システムにおいて、電波や光を用いた無線通信システムは、有線の通信システムと比較して、通信を行う機器同士をケーブルで接続する必要が無いため取り扱いが容易である。
【０００３】
しかしながら、無線通信システムは外的な影響を受けやすく、有線の通信システムと比べて通信が不安定である。例えば、通信経路に障害物があったり、同じ周波数帯の電波を発するような外乱があったり、通信中に強い光が入ったりした場合には通信エラーとなることがあった。そのため、エラー訂正機構を備えたり、通信信号の再送処理を行ったりすることで、通信の信頼性を確保していた。
【０００４】
また、無線送受信動作には遅延が生じるため、発光装置と撮像装置とが無線通信を行う場合には、撮像装置もしくは撮像装置に装着されたマスターストロボとスレーブストロボとの発光同期信号を無線送受信動作の遅延を考慮して制御する必要がある。
【０００５】
そこで、例えば、特許文献１では、カメラが、スレーブストロボに何秒後に発光すればよいかを示すタイミング情報を含む複数の発光指示を順次送信するとともに、その送信順に応じて各発光指示に含めるタイミング情報を異ならせている。そして、スレーブストロボは、カメラから順次送信される複数の発光指示のうち、最初に受信できた発光指示に含まれるタイミング情報に従って発光を行う。
【先行技術文献】
【特許文献】
【０００６】
【特許文献１】特開２０１０−１８５９６１号公報
【発明の概要】
【発明が解決しようとする課題】
【０００７】
しかしながら、上述の特許文献１に開示された技術では、タイミング情報に従ってスレーブストロボを発光させるが、タイミング情報には、走行回数、温度、姿勢差等に起因するカメラのシャッター動作のばらつきが考慮されていない。そのため、カメラの露光に適切なタイミングでレリーズストロボを発光させることができず、光量不足の画像が撮影されてしまう場合が生じる。
【０００８】
そこで、本発明は、発光装置と撮像装置とが電波による無線通信を行う場合に、通信の信頼性を確保するとともに、撮像装置の露光と発光装置の本発光とを適正なタイミングで合わせることができるようにすることを目的とする。
【課題を解決するための手段】
【０００９】
上記目的を達成するために、本発明にかかる撮像装置は、無線通信部を介して発光装置と電波による無線通信が可能な撮像装置であって、撮像素子と、前記撮像素子の露光を開始させる方向へ走行するシャッター幕を有するシャッターユニットと、前記発光装置への発光指示を所定の間隔で複数回出力する出力手段と、前記シャッター幕の走行開始を指示する指示手段と、前記出力手段により複数の前記発光指示のうち最初の前記発光指示が出力されるタイミングと、前記指示手段の指示に従って走行した前記シャッター幕が走行完了するタイミングとの間隔が一定となるように、前記出力手段が複数の前記発光指示のうち最初の前記発光指示を出力するタイミング、及び、前記指示手段が前記シャッター幕の走行開始を指示するタイミングの少なくとも一方を補正する補正手段と、を有することを特徴とする。
【００１０】
また、上記目的を達成するために、本発明にかかるカメラシステムは、発光装置と、当該発光装置と無線通信部を介して電波による無線通信が可能な撮像装置を含むカメラシステムであって、撮像素子と、前記撮像素子の露光を開始させる方向へ走行するシャッター幕を有するシャッターユニットと、前記発光装置への発光指示を所定の間隔で複数回出力する出力手段と、前記シャッター幕の走行開始を指示する指示手段と、前記出力手段により複数の前記発光指示のうち最初の前記発光指示が出力されるタイミングと、前記指示手段の指示に従って走行した前記シャッター幕が走行完了するタイミングとの間隔が一定となるように、前記出力手段が複数の前記発光指示のうち最初の前記発光指示を出力するタイミング、及び、前記指示手段が前記シャッター幕の走行開始を指示するタイミングの少なくとも一方を補正する補正手段と、を有することを特徴とする。
【発明の効果】
【００１１】
本発明によれば、発光装置と撮像装置とが電波による無線通信を行う場合に、通信の信頼性を確保するとともに、撮像装置の露光と発光装置の本発光とを適正なタイミングで合わせることができるようにすることを目的とする。
【図面の簡単な説明】
【００１２】
【図１】本発明の第１の実施形態における撮像装置を示すブロック図。
【図２】本発明の第１の実施形態におけるカメラシステムを示す模式図。
【図３】本発明の第１の実施形態におけるストロボ撮影動作を示すフローチャート。
【図４】本発明の第１の実施形態におけるストロボ撮影動作を示すフローチャート。
【図５】本発明の第１の実施形態におけるストロボ撮影時のストロボ制御動作を示すフローチャート。
【図６】本発明の第１の実施形態におけるストロボ撮影時のタイミングチャート。
【図７】本発明の第１の実施形態におけるカメラ送信データの送信タイミングとストロボ動作を示すタイミングチャート。
【図８】発光コマンドパケットのパケットデータ構造を示す図。
【図９】本発明の実施形態におけるカメラシステムの変形例を示す模式図。
【図１０】本発明の実施形態におけるカメラシステムの変形例を示す模式図。
【発明を実施するための形態】
【００１３】
［第１の実施形態］
図１は、本発明の第１の実施形態における撮像装置の構成を示すブロック図である。１００はカメラ本体、２００はカメラ本体１００に着脱可能なレンズユニット、３００はカメラ本体１００に着脱可能なストロボ装置（発光装置）を、それぞれ示している。なお、本実施形態では、レンズユニット２００及びストロボ装置３００がカメラ本体１００に着脱可能な構成について説明するが、レンズユニット２００及びストロボ装置３００に相当する部分がカメラ本体１００に内蔵された構成であってもよい。
【００１４】
まず、カメラ本体１００の構成について説明する。１０１はカメラ本体１００の各部を制御するマイクロコンピュータＣＣＰＵ（以下、カメラマイコン）である。カメラマイコン１０１は、内蔵もしくは外付け発振回路で生成されたクロックにより駆動されるとともに、このクロックをカウントすることによって正確な時間管理を行う。これにより、撮像装置全体の動作シーケンスにおけるタイミング、及び、外部のストロボやリモコン等との通信シーケンスにおけるタイミングを制御する。
【００１５】
１０２はＣＣＤ、ＣＭＯＳ等の撮像素子であり、後述のレンズ群２０２を介して入射した光束が結像される。
１０３はシャッター幕及びシャッター制御回路を含むシャッターユニットで、シャッター幕を走行させることで撮像素子１０２を遮光する状態と撮像素子１０２へ光束を導く状態とになる。シャッター制御回路は、カメラマイコン１０１からのシャッター駆動信号に従って、シャッター幕を制御する。
【００１６】
本実施形態では、シャッターユニット１０３としてフォーカルプレンシャッターを利用し、フォーカルプレンシャッターを構成する２つのシャッター駆動マグネットを制御し、先幕と後幕からなるシャッター幕を走行させる。なお、先幕は、撮像素子１０２の露光を開始させる方向へ走行し、後幕は、撮像素子１０２を遮光する方向へ走行する。
【００１７】
また、シャッターユニット１０３は、走行時のシャッター幕の位置を検出し、シャッター走行完了などのタイミングを検出する複数のフォトインタラプタを内蔵し、検出信号１１９をカメラマイコン１０１に出力する。
【００１８】
なお、シャッターユニット１０３は、カメラマイコン１０１が先幕の走行開始を指示する先幕走行信号Ｍｇを出力してから先幕が走行完了するまでに要する時間が走行回数や温度、姿勢差等によって変化する。この変化量は、フォトインタラプタの検出結果に基づいてカメラマイコン１０１で演算することが可能であり、演算された変化量に基づいてこの変化を補正するための補正値を演算する。この演算された補正値はカメラマイコン１０１内の記憶装置（ＥＥＰＲＯＭなど）に記憶される。
【００１９】
１０４は主ミラー（ハーフミラー）であり、ミラーダウン状態では、レンズ群２０２を介して入射する光束の一部を反射しピント板１０５に結像させる。また、ミラーアップ状態では、レンズ群２０２を介して入射する光束を撮像素子１０２へ導く。
【００２０】
１０６は測光回路であり、この回路内の測光センサーは複数の測光領域を有していて、それぞれの領域で測光を行うことができる。測光回路１０６内の測光センサーは、後述する１１４のペンタプリズムを介してピント板１０５に結像された被写体像を見込んでいる。
【００２１】
１０７は焦点検出回路であり、この回路内の焦点検出センサーは複数の焦点検出領域を有していている。１０８は撮像素子１０２から出力されるアナログ信号の増幅ゲインを切換えるためのゲイン切換え回路であり、増幅ゲインの切換えは撮影条件や後述の充電電圧条件によるレベル設定、撮影者の入力等によりカメラマイコン１０１が制御する。
【００２２】
１０９は増幅された撮像素子１０２から出力されるアナログ信号をデジタル信号に変換するＡ／Ｄ変換器で、１１０は撮像素子１０２の増幅された信号入力とＡ／Ｄ変換器１０９の変換タイミングを同期させるためのタイミングジェネレータ（ＴＧ）である。１１１はＡ／Ｄ変換器１０９でデジタル信号に変換された画像データをパラメータにしたがって画像処理を行うデジタル信号処理回路である。
【００２３】
ＳＣはカメラ本体１００とレンズユニット２００及びストロボ装置３００とのインタフェースの信号ラインである。例えば、カメラマイコン１０１をホストとしてデータの交換やコマンドの伝達を相互に行う。これにより、カメラマイコン１０１からストロボ装置３００のストロボマイコン３１０への発光開始指示信号などの通信を可能にしている。
【００２４】
同様に、ＳＣは後述するレンズマイコン２０１とのインタフェースであり、レンズマイコン２０１からカメラマイコン１０１にデータを送信する端子を有し、カメラマイコン１０１とレンズマイコン２０１との間で通信を可能にしている。
【００２５】
１１２は各種情報を入力するための入力部であって、任意のフィルタ情報の設定を入力することや、予備発光を行うための予備発光ボタン、日中シンクロモード等のスイッチやボタン、ダイヤルなどを有する。１１３は、各種設定されたモードやその他の撮影情報などを表示する液晶装置や発光素子などからなる表示部である。
【００２６】
１１４はペンタプリズムで、ピント板１０５の被写体像を測光回路１０６内の測光センサー及び不図示の光学ファインダーに導く。１１５はサブミラーで、レンズ群２０２を介して入射し主ミラー１０４を透過した光線を焦点検出回路１０７の測距センサーへ導く。
１１６は無線通信回路、１１７は無線アンテナであり、２つで無線通信部として機能し、この無線通信部を介して装着していないストロボ装置やリモコン等のカメラアクセサリと電波を用いたデータ（無線通信パケット）の送受信を行う。
【００２７】
次に、レンズユニット２００の構成と動作について説明する。２０１はレンズユニット２００の各部の動作を制御するマイクロコンピュータＬＰＵ（以下、レンズマイコン）である。
【００２８】
２０２は複数枚で構成されたレンズ群である。２０３はレンズ群２０２の焦点位置合わせ用の光学系を移動させるレンズ駆動回路であり、レンズ群２０２の駆動量は、カメラ本体１００内にある焦点検出回路１０７の出力に基づいてカメラマイコン１０１内にて算出される。２０４はレンズ群２０２の駆動時に位置を検出するエンコーダである。算出された駆動量はカメラマイコン１０１からレンズマイコン２０１に通信され、エンコーダ２０４の駆動情報により駆動量分だけレンズマイコン２０１がレンズ駆動回路２０３を動作させ、レンズ群２０２を合焦位置へ移動させる。
２０５は絞り、２０６は絞り制御回路であり、絞り２０５は絞り制御回路２０６を介してレンズマイコン２０１により制御される。
【００２９】
次に、ストロボ装置３００の構成について説明する。３１０はストロボ装置３００の各部の動作を制御するマイクロコンピュータＦＰＵ（以下、ストロボマイコン）である。
【００３０】
３０１はストロボの電源（ＶＢＡＴ）としての電池である。後述の昇圧回路３０２、ストロボマイコン３１０に接続される。３０２は電池３０１の電圧を数百Ｖに昇圧させる昇圧回路で不図示の主コンデンサに発光のためのエネルギーを蓄積させる。
３１３は電圧検出回路であり、主コンデンサの電圧を検出し、検出結果はストロボマイコン３１０からＳＣ通信を介してカメラマイコン１０１に通信される。
【００３１】
３０６はトリガ回路であり、発光時にストロボマイコン３１０より出力されるトリガ信号に従ってトリガ電圧を印加する。３０７は放電管であり、主コンデンサに充電されたエネルギーをトリガ回路３０６から印加される数ＫＶのパルス電圧を受け励起することで発光し、その光を被写体に照射する。３０８はトリガ回路３０６と共に放電管３０７の発光の開始を制御し、さらに発光の停止を制御する発光制御回路である。
３２３は放電管３０７の発光量を受光するセンサーとしてのフォトダイオードであり、直接またはグラスファイバーなどを介して放電管３０７の発する光を受光する。３０９はフォトダイオード３２３の受光電流を積分する積分回路であり、その出力は３１２のコンパレータの反転入力端子とストロボマイコン３１０のＡ／Ｄコンバータ端子に入力される。
【００３２】
コンパレータ３１２の非反転入力端子はストロボマイコン３１０内のＤ／Ａコンバータ出力端子に接続され、コンパレータ３１２の出力は３１１のＡＮＤゲートの入力端子に接続される。ＡＮＤゲート３１１のもう一方の入力はストロボマイコン３１０の発光制御端子と接続され、ＡＮＤゲート３１１の出力は発光制御回路３０８に入力される。
３１５は反射傘、３１６はパネル等から成りストロボ装置３００の照射角を変更するズーム光学系である。ここで、反射傘３１５とズーム光学系３１６の距離を所定の位置に変更することにより、被写体への照射ガイドナンバー及び配光を変化させることが可能となる。
【００３３】
３１３はモーター等から成るズーム光学系３１６を移動させるズーム駆動部であり、ズーム光学系３１６の駆動量はストロボマイコン３１０のズーム制御端子より信号を受け駆動される。このズーム駆動量はレンズマイコン２０１からカメラマイコン１０１を介して通信された焦点距離情報に応じてストロボマイコン３１０で演算される。
３１４はズーム光学系３１６のズーム位置を検出するエンコーダ等の位置検出部であり、ストロボマイコン３１０の位置信号端子に移動情報を与え、ストロボマイコン３１０の位置信号端子にて必要な駆動量分だけズーム駆動部３１３内のモーターを駆動させる。
【００３４】
３２０は各種情報を入力するための入力部（入力インタフェース）であり、例えばストロボ装置３００の側面などにスイッチが設置されており、手動によりストロボの制御モードなどを入力することも可能である。３２１はストロボ装置３００の各状態を表示する表示部である。
３２２は定電圧回路で電池３０１から一定電圧の出力を行う。
３２４は無線通信回路、３２５は無線アンテナであり、２つで無線通信部として機能し、この無線通信ユニットを介して装着されていない撮像装置や他のストロボ装置及びリモコン等のカメラアクセサリと電波を用いたデータの送受信を行う。
本実施形態では、後述のストロボ装置１０００に対して、無線通信回路３２４及び無線アンテナ３２５を介してストロボマイコン３１０によって生成された無線通信パケットを送信し、カメラ本体１００から指示に従って制御を行う。
【００３５】
図２は、本実施形態におけるカメラシステムの模式図であり、カメラ本体１００とストロボ装置３００とを含む撮像装置とカメラ本体１００に装着されていないストロボ装置１０００（スレーブストロボ）により構成される。ストロボ装置３００はカメラ本体１００にアクセサリシューを介して装着されていて、マスターストロボとして動作する。
ストロボ装置１０００はスレーブストロボであり、マスターストロボが指令した通信により動作する。このとき、既知の無線通信規格であるＩＥＥＥ８０２．１５．４等の方法によって無線通信を行う。なお、ストロボ装置１０００は、ストロボ装置３００と電波による無線通信が可能な構成であればよく、本実施形態ではストロボ装置３００と同様の構成であるとして説明する。
４００は被写体、６００はスクリーン、５００はカメラ本体１００を固定する三脚であり、例えば、写真スタジオでのストロボ撮影を想定した概略図になっている。
【００３６】
次に、図３ないし図６を用いて本実施形態におけるストロボ撮影動作を説明する。なお、以下の説明では、ストロボ撮影が指示される前に既知の無線ペアリングによって、ストロボ装置３００とストロボ装置１０００とは、予め通信相手としてお互いに登録が行われているものとする。
【００３７】
まず、カメラマイコン１０１の具体的な動作について図３及び図４のフローチャートを用いて説明する。
カメラ本体１００の不図示の電源スイッチがオンされて動作可能になると、カメラマイコン１０１は、図３のステップ（以下、Ｓと略す）１から所定の動作を開始する。
Ｓ１では、カメラマイコン１０１自身のメモリやポートの初期化を行う。また、入力部１１２より入力されたスイッチの状態や予め設定された入力情報を読み込み、シャッタースピードの決め方や、絞りの決め方等様々な撮影モードの設定を行う。
【００３８】
なお、ストロボ装置３００の電源がオンされて無線ストロボ発光モードに設定された状態であれば、ストロボマイコン３１０は無線通信回路３２４を制御し、無線周波数を振ってチャンネルをスキャンして通信相手であるストロボ装置１０００を検索する。同様に、ストロボ装置１０００は、電源がオンされると、ストロボ装置３００と同様に無線通信回路３２４を制御し、使用するチャンネルを設定して、ストロボ装置３００からの検索に応答できる状態に設定される。
ストロボ装置３００が検索によってストロボ装置１０００を見つけると、カメラ本体１００はネットワークコーディネータとして定期的なビーコンパケット（ビーコン信号）の発行を開始することでネットワークを立ち上げる。そして、ストロボ装置３００はネットワークデバイスの役割を担い、ストロボ装置３００の通信相手としてお互いにリンクを張ることで、いつでも通信可能な状態となる。
【００３９】
このようにしてカメラ本体１００とストロボ装置３００とストロボ装置１０００からなるシステムが起動した後、カメラ本体１００は、ユーザからの撮影準備動作の指示を待機する状態（ＳＷ１のオン待ちの状態）となる。
Ｓ２では、図示しないシャッターボタンの半押し状態であるＳＷ１がＯＮか否かを判別し、ＯＦＦのときはこのステップを繰り返し、ＯＮのときはＳ３に進む。
Ｓ３では、カメラマイコン１０１はレンズマイコン２０１と通信ラインＳＣを介して通信を行う。そして、レンズユニット２００の焦点距離情報や焦点検出処理、測光処理に必要な光学情報を取得する。
Ｓ４では、カメラ本体１００にストロボ装置３００が装着されているかどうかを判別する。カメラ本体１００にストロボ装置３００が装着されているならばＳ５へ進み、未装着ならばＳ６へ進む。
Ｓ５では、カメラマイコン１０１はストロボマイコン３１０と通信ラインＳＣを介して通信を行い、Ｓ３にて取得した焦点距離情報をストロボマイコン３１０に出力する。これにより、ストロボマイコン３１０は受信した焦点距離情報に基づいてズーム駆動部３１３を駆動してエンコーダ３１４で位置を検出し照射角を制御する。
Ｓ５では、カメラマイコン１０１はストロボマイコン３１０と通信ラインＳＣを介して通信を行い、ストロボマイコン３１０のメモリ内に格納されたストロボ情報を出力するように指示し、ストロボマイコン３１０はカメラマイコン１０１へストロボ情報を出力する。このストロボ情報は、現在の発光モード情報、主コンデンサ充電情報などである。
【００４０】
次に、Ｓ６では、カメラ本体１００に設定された撮影モードが、自動焦点検出動作を行うモード（ＡＦモード）であるか、そうでないモード（ＭＦモード）であるかを判別する。
【００４１】
Ｓ６でＡＦモードであればＳ７に進み、ＭＦモードであれば、Ｓ９へ進む。Ｓ７では、周知の位相差検出法による焦点検出動作を行う。またＳ７では、複数の焦点検出領域のどの焦点検出領域を優先的に合焦させるかを、入力部１１２による入力結果、近点優先を基本の考え方とした周知の自動選択アルゴリズムなどに基づいて決定する。
【００４２】
Ｓ８では、Ｓ７で決定された焦点検出領域をカメラマイコン１０１内の図示しないＲＡＭ（ランダムアクセスメモリー）に記憶させる。さらに、Ｓ８では、カメラマイコン１０１は焦点検出回路１０７の出力に基づきレンズの駆動量を演算する。
カメラマイコン１０１はレンズマイコン２０１と通信ラインＳＣを介して通信を行う。レンズマイコン２０１はＳ８の演算結果に基づきレンズ駆動回路２０３を制御してレンズ群２０２を駆動しＳ９へ進む。
Ｓ９では、測光回路１０６により測光を行い、複数の測光領域のそれぞれの被写体輝度値を取得する。
Ｓ１０では、入力部１１２により入力されたゲイン設定の処理をゲイン切換え回路１０８により行う。また、Ｓ１０では、カメラマイコン１０１はストロボマイコン３１０と通信ラインＳＣを介して通信を行い、ゲイン設定情報をストロボマイコン３１０に出力する。
【００４３】
Ｓ１１では、複数の測光領域のそれぞれの被写体輝度値ＥＶｂから、周知のアルゴリズムにより露出値（ＥＶｓ）を演算する。
Ｓ１２では、ストロボマイコン３１０が充電完了信号を出力しているかどうかを判別する。ここで、ストロボマイコン３１０が充電完了信号を出力しているならばＳ１３へ進み、出力していなければＳ１４へ進む。なお、このＳ１２におけるストロボマイコン３１０が充電完了信号を出力しているかどうかの判別結果は、後のステップで用いるのでカメラマイコン１０１内のＲＡＭなどに記憶しておく。
Ｓ１３では、ストロボ撮影を行うために適したシャッター速度（Ｔｖ）と絞り値（Ａｖ）とをＳ１１で演算された露出値に基づいて決定する。
Ｓ１４では、ストロボ装置３００及びストロボ装置１０００を発光させない撮影（非発光撮影）を行うために適したシャッター速度（Ｔｖ）と絞り値（Ａｖ）とをＳ１１で演算された露出値に基づいて決定する。Ｓ１３またはＳ１４の処理が実行されると、いずれの場合もＳ１５へ進む。
【００４４】
Ｓ１５では、カメラマイコン１０１はストロボマイコン３１０と通信ラインＳＣを介して通信を行い、ストロボ制御に関する情報をストロボマイコン３１０に出力する。
続いて、Ｓ１６で、図示しない撮影動作の開始指示を行うためのスイッチであるＳＷ２がＯＮであるか否かを判別し、ＯＦＦであればＳ２に戻りＯＮであればＳ１７に進む。
Ｓ１７では、カメラマイコン１０１からストロボマイコン３１０に通信ラインＳＣを介して通信を行い、カメラ情報をストロボマイコン３１０に出力する。
Ｓ１８では、ストロボ装置を発光させない状態で第１の測光（定常光の測光）を行う。
【００４５】
Ｓ１９では、ストロボ装置３００にプリ発光させるためのプリ発光通信を行うため、カメラマイコン１０１からストロボマイコン３１０に通信ラインＳＣを介して通信を行い、カメラ情報をストロボマイコン３１０に出力する。
Ｓ２０では、ストロボ装置３００をプリ発光させた状態で第２の測光を行う。そして、Ｓ１８及びＳ２０の測光結果に基づいて、周知の演算方法により、シャッタースピード、絞り値、ストロボ装置３００及びストロボ装置１０００の発光量を演算する。
【００４６】
次に、Ｓ２１では、主ミラー１０４をアップさせ、レンズ群２０２を介して入射する光束を撮像素子１０２へ導く。
Ｓ２２では、光量設定通信を行う。Ｓ２０で得られた発光量情報をカメラマイコン１０１からストロボマイコン３１０に通信ラインＳＣを介して通信を行い、ストロボマイコン３１０に出力する。
Ｓ２３では、発光コマンドを送信するため、カメラマイコン１０１からストロボマイコン３１０に通信ラインＳＣを介して通信を行う。そして、ストロボ装置３００は、マスターストロボＸｏｕｔ信号をオン（ハイレベルからローレベル）にする。
Ｓ２４ではシャッターと絞り動作を行う。このとき、カメラマイコン１０１内の記憶装置に記憶されている、先幕の動作のばらつきによる変化を補正するための補正値に基づいて、カメラマイコン１０１により先幕走行信号Ｍｇ（先幕動作開始信号）の出力タイミングの変更を行う。
【００４７】
そして、Ｓ２５において、ストロボ装置３００及びストロボ装置１０００を本発光させて露光を行う。
【００４８】
なお、ストロボ装置１０００に対して本発光を指示する場合には、カメラ本体１００はストロボ装置３００を介して発光指示である発光トリガ通信を行う。
詳細は後述するが、ストロボ装置１０００に何秒後に発光させるかを示すタイミング情報を含む発光コマンドを複数回出力するとともに、その出力順に応じて、各発光コマンドに含まれるタイミング情報を異ならせる。例えば、１０ｍｓ後発光、９ｍｓ発光、・・・１ｍｓ後発光、のようにタイミング情報を異ならせる。
露光動作が終了すると、Ｓ２６でミラーアップ状態だった主ミラー１０４をミラーダウン状態にする。Ｓ２７では、撮像素子１０２から出力されゲイン切換え回路１０８で増幅されたアナログ信号をＡ／Ｄ変換器１０９でデジタル信号として変換する。変換された画素データに対して、信号処理回路１１１によりホワイトバランスなど所定の信号処理を実行させる。
【００４９】
そして、Ｓ２８では、処理された画像データを図示しないメモリに記録して、一連の撮影動作を終了する。
続いて、ストロボ装置３００内のストロボマイコン３１０での具体的な動作（ストロボ制御動作）について、図５のフローチャートを用いて説明する。
【００５０】
ストロボ装置３００の不図示の電源スイッチがオンされてストロボマイコン３１０が動作可能となると、ストロボマイコン３１０はＳ１０１より所定の動作を開始する。Ｓ１０１では、ストロボマイコン３１０自身のメモリやポートの初期化を行う。また、入力部３２０より入力されたスイッチの状態や予め設定された入力情報を読み込み、ストロボ撮影モードや発光量等の設定を行う。
【００５１】
また、このストロボ撮影モードや発光量等に関する情報はストロボマイコン３１０内の図示しないＲＡＭ（ランダムアクセスメモリー）に記憶させる。
Ｓ１０２では、昇圧回路３０２を動作開始させて主コンデンサの充電を開始させる。そして、Ｓ１０３にて、カメラマイコン１０１から通信ラインＳＣを介して焦点距離情報、発光モード情報等のカメラ情報を取得する。
【００５２】
Ｓ１０４では、ストロボマイコン３１０内に記憶しているストロボ情報を表示部３２１に表示する。Ｓ１０５では、ストロボマイコン３１０からカメラマイコン１０１に通信ラインＳＣを介して通信を行い、無線ストロボ設定情報を含むストロボ情報をカメラマイコン１０１に出力する。
【００５３】
Ｓ１０６では、昇圧回路３０２により昇圧された電圧が放電管３０７の発光に必要な電圧レベルにまで達したか（充電完了か）どうかを判別し、放電管３０７の発光に必要な電圧レベルにまで達していると判別した場合にはＳ１０８に進む。
【００５４】
放電管３０７の発光に必要な電圧レベルにまで達していないと判定した場合には、ステップＳ１０７へ進む。Ｓ１０７では、充電未完信号を出力して発光準備ができていないことを通信ラインＳＣを介してカメラマイコン１０１に報知する。Ｓ１０８では、充電完了信号を出力して発光準備ができたことを通信ラインＳＣを介してカメラマイコン１０１に報知する。
【００５５】
次に、Ｓ１０９にて、カメラ情報を受信する。このとき無線ストロボ発光モードであることを確認して、カメラマイコン１０１よりプリ発光開始用信号が出力されているかどうかをチェックする。
【００５６】
プリ発光開始用信号が出力されていれば、Ｓ１１０にてストロボ装置１０００に対してプリ発光通信を行う（図４のＳ１９に対応）。このとき、ストロボマイコン３１０は、無線通信回路３２４を制御し無線アンテナ３２５を介してストロボ装置１０００と通信を行う。
【００５７】
ここで、ストロボ装置３００とストロボ装置１０００との無線通信について、図６のタイミングチャートを用いて詳細な説明を行う。
図６は、図４及び図５のフローチャートをタイミングチャートで表した図である。ＳＷ１がオンになる前は、ストロボ装置３００は１００ミリ秒間隔でビーコンパケットを発行している。ストロボ装置１０００は、ビーコンパケットの発行周期に合わせて１００ミリ秒間隔で無線通信回路３２４を受信動作させ、ビーコンパケットを受信できるように制御している。
【００５８】
ビーコンパケットの受信に要する時間は数ミリ秒であり、特に通信する必要がないアイドル状態のときには、ストロボ装置１０００側の無線通信回路３２４は動作する必要が無いので、必要なときだけ受信動作を行うことで省電力を図ることが可能である。
カメラ本体１００のＳＷ１がオンになると、ストロボ装置３００は、ストロボ装置１０００に対してＳＷ１がオンになったことを通知するためのパケットを送信する（マスターストロボ送信データのＳＷ１で示す）。
【００５９】
これとともに、それまで１００ミリ秒間隔であったビーコンパケットを、１０ミリ秒程度のより細かい間隔で発行するように制御を変更する。
【００６０】
このように、撮影準備動作指示の前後でビーコンパケットの発行間隔を変更することによって、次に撮影開始を指示するＳＷ２がオンになったときのストロボ装置１０００の反応レスポンスを向上させている。
【００６１】
ビーコンパケットの発行間隔が短くなったことに伴い、ストロボ装置１０００側の受信動作のタイミングも、ビーコンの発行間隔に合わせて短くする。これによって、ストロボ装置１０００のレスポンスが向上する代わりに、ストロボ装置１０００側の無線通信回路３２４の動作頻度が高くなり消費電力が増加する。
【００６２】
カメラ本体１００のＳＷ２がオンになると、ストロボ装置３００は、ストロボ装置１０００に対してＳＷ２がオンになったことを通知するためのパケットを送信する（マスターストロボ送信データのＳＷ２で示す）。
【００６３】
ストロボ装置１０００は、自身の充電状態をチェックして、発光可能な状態であれば、カメラ本体１００側にその旨を通知する（スレーブストロボ通信データの充完情報／Ａｃｋで示す）。これとともに、ストロボ装置１０００は常時パケットを受信可能な状態に設定される。このような常時受信可能状態になった後、図５のＳ１０９〜Ｓ１１８までを順次実行していく。
【００６４】
なお、ストロボ装置１０００は、ストロボ装置３００からのパケットを受信するたびに、パケットを受信したことを示す確認信号であるＡｃｋパケットを送信することで、通信の信頼性を確保している。ストロボ装置３００は、送信したパケットに対して一定時間が経過してもストロボ装置１０００からＡｃｋパケットが送られてこない場合には、通信異常が発生したとして、再度同じパケットを送信する再送処理を行う。
ストロボ装置１０００は、後述のＳ１１３で光量設定通信がなされた後は、いつでも発光コマンドパケットを受信可能な状態になる。つまり、いつでも本発光が可能なスタンバイ状態となる。
【００６５】
次に、Ｓ１１０では、ストロボ装置３００とストロボ装置１０００とでプリ発光通信を行う。ストロボマイコン３１０は無線通信回路３２４を制御し無線アンテナ３２５を介してストロボ装置１０００にプリ発光開始用信号の送信を行う。正常に受信されればストロボ装置１０００からＡｃｋパケットが送信される。
Ｓ１１１では、ストロボ装置３００とストロボ装置１０００のプリ発光動作を行う。それに伴いカメラ本体１００が第２の測光を行う。
【００６６】
次に、Ｓ１１２ではカメラ情報を受信する。このとき無線ストロボ発光モードであることを確認して、カメラマイコン１０１より光量設定信号が出力されているかどうかをチェックする。
【００６７】
光量設定がされていればＳ１１３にて、ストロボ装置３００とストロボ装置１０００とで光量設定通信を行う。ストロボマイコン３１０は無線通信回路３２４を制御し無線アンテナ３２５によりストロボ装置１０００に光量設定信号の送信を行う。正常に受信されればストロボ装置１０００からＡｃｋパケットが送信される。
【００６８】
次に、Ｓ１１４ではカメラ情報を受信する。このとき無線ストロボ発光モードであることを確認して、カメラマイコン１０１よりストロボ発光スタート信号が出力されているかどうかをチェックする。
【００６９】
ストロボ発光スタート信号がオンされていれば（ストロボ発光スタート信号がハイレベルからローレベルになっていれば）Ｓ１１５にて、マスターストロボＸｏｕｔ信号をオンさせる。
Ｓ１１６では、無線通信回路３２４を制御し無線アンテナ３２５を介してストロボ装置１０００に発光コマンドを送信する。
【００７０】
本実施形態では、発光コマンドパケットを１０回送信する構成であるため、先幕走行信号Ｍｇをオンする前に最初の発光コマンドパケットの送信が開始される。なお、発光コマンドパケットは１０回に限らず、複数であれば通信の信頼性は向上するため、何回であってもかまわない。また、送信する発光コマンドパケットの回数によっては、先幕走行信号Ｍｇの動作の後に最初の発光コマンドパケットの送信が開始されてもよい。
【００７１】
図７は、発光コマンドパケットの送信タイミングとストロボ撮影動作を示している。図８に示すように、発光コマンドパケットは等間隔に送信され、それぞれの間隔は１ミリ秒間隔である。各発光コマンドパケットに含まれるタイミング情報は、この送信間隔に対応して設定されており、すべての発光コマンドパケットが指示する発光開始時刻が同時刻となるように設定されている。
【００７２】
なお、図７では、シャッター先幕走行完了タイミングと本発光とが同期した、いわゆる、先幕シンクロ撮影時の各タイミングを示している。そのため、すべての発光コマンドパケットが指示する発光開始時刻は、シャッター先幕走行完了タイミングと一致するようになっている。
【００７３】
しかしながら、すべての発光コマンドパケットが指示する発光開始時刻は他のタイミングであってもよい。例えば、シャッター後幕走行開始タイミングと本発光とが同期した、いわゆる、後幕シンクロ撮影時では、本発光の終了とシャッター後幕走行開始タイミングとが同期するように発光開始時刻を設定すればよい。
【００７４】
また、シャッター先幕走行開始とストロボ発光開始が同期した、いわゆる、ハイスピードシンクロ撮影時では、シャッター先幕走行開始タイミングを発光開始時刻に設定すればよい。
【００７５】
図８は、発光コマンドパケットのパケットデータ構造を示す図である。図８に示すように、発光コマンドパケットは１６ビットの長さを持つパケットであり、カメラマイコン１０１によって生成される。なお、発光コマンドパケットとしては、図８に示すような構造の１６ビットパケットでなくてもかまわない。しかしながら、図８に示すように比較的長さの短い簡単なパケットとすることで、パケット自身の送信にかかる時間や、受信したときにパケットの解析にかかる時間を短くすることができるので、同期動作の時間精度を高めることができる。
【００７６】
ストロボ装置１０００は、１０回の発光コマンドパケットのうち、発光コマンドパケットを受信するたびにタイミング情報を最新のものに更新していく。そして、一連の発光コマンドパケットの受信動作中は、各発光コマンドパケットを受信するたびにＡｃｋパケットの送信は行わない。
【００７７】
発光コマンドの送信後、Ｓ１１７にて、カメラ本体１００のシャッター先幕走行完了タイミングに同期させて本発光を行う。
【００７８】
このとき、カメラ本体１００は、先幕の動作のばらつきを補正するための補正値に基づいて、シャッター先幕動作を開始させる。先幕の動作は、例えば、図６のタイミングチャートのカメラシャッター動作の先幕走行（ａ）が標準であるとしたら、走行回数、温度条件、姿勢差によって先幕走行（ｂ）のように変化する。このような先幕動作が標準よりも遅くなる先幕走行（ｂ）の場合、ストロボ発光スタート信号をオンさせてから先幕走行信号Ｍｇをオンさせるまでの時間が固定だと先幕が全開になる前にストロボ装置１０００が本発光してしまい必要な光量が得られない。
【００７９】
そこで、ストロボ発光スタート信号をオンさせてから先幕走行信号Ｍｇをオンさせるまでの時間を先幕の変化に応じて短くし、図６のタイミングチャートのカメラシャッター動作の先幕走行（ｃ）のように動作させる。そうすることで、シャッター先幕走行完了タイミングに同期させてストロボ装置１０００を本発光させることができ、光量不足となることを防止できる。
【００８０】
本発光が終了すると、Ｓ１１８にて、ストロボ装置１０００に対して、ストロボ撮影動作のシーケンスが終了したことを通知するパケットを送信する発光終了処理を行う。
ストロボ装置１０００は、発光コマンドパケットを受信して正常に本発光できた場合には、ストロボ装置３００に対してその旨を伝える通信を本発光後に行う（ストロボ送信データの正常発光／Ａｃｋで示す）。
【００８１】
カメラ本体１００は、Ａｃｋパケットに基づいて、今回撮影した画像がストロボ装置３００及びストロボ装置１０００が正常に本発光したときの撮影画像であると判断すると、画像を記録する再に撮影条件の情報としてファイルに添付して保存する。反対に、正常に本発光が行われなかったと判断すると、その旨を画像ファイルに添付して記録する。
【００８２】
以上のように、スレーブストロボに対して複数回の発光コマンドを送信することにより、電波による無線通信で行う場合であっても、通信の信頼性を確保することができる。また、先幕の動作のばらつきを補正するための補正値に基づいて、先幕の動作開始タイミングを変更させることで、カメラ本体１００の露光とストロボ装置１０００の本発光とを適正なタイミングで合わせることができる。
【００８３】
［第２の実施形態］
第１の実施形態は、先幕の動作のばらつきを補正するため、ストロボ発光スタート信号をオンさせてから先幕走行信号Ｍｇをオンさせるまでの時間を変更した。一方、本実施形態は、発光コマンドの送信タイミングあるいはタイミング情報を変更することで先幕の動作のばらつきを補正する。
【００８４】
すなわち、図６に示した先幕動作が標準よりも遅くなる先幕走行（ｂ）の場合、ストロボ発光スタート信号をオンさせてからマスターストロボＸｏｕｔ信号をオンさせるまでの時間を長くして発光コマンドパケットの送信開始タイミングを変更する。あるいは、マスターストロボＸｏｕｔ信号をオンさせるまでの時間は変更せずに、各発光コマンドパケットに含まれるタイミング情報をそれぞれ長くする。なお、このときの補正値は、第１の実施形態と同様に、シャッターユニット１０３のフォトインタラプタの検出結果に基づいてカメラマイコン１０１で演算する。
【００８５】
以上のようにすることで、スレーブストロボに対して複数回の発光コマンドを送信することにより、電波による無線通信で行う場合であっても、通信の信頼性を確保することができる。また、先幕の動作のばらつきを補正するための補正値に基づいて、発光コマンドの送信タイミングあるいはタイミング情報を変更させることで、カメラ本体１００の露光とストロボ装置１０００の本発光とを適正なタイミングで合わせることができる。
【００８６】
なお、本実施形態と第１の実施形態とを組み合わせた構成であってもよく、先幕の動作のばらつきを補正するための補正値に基づいて、先幕の動作開始タイミング及び発光コマンドの送信タイミングを変更させる構成であってもよい。
【００８７】
なお、上記の２つの実施形態では、カメラ本体１００に装着されたストロボ装置３００を介してストロボ装置１０００の制御を行う構成を説明したが、図９に示すように、カメラ本体１００がストロボ装置１０００と直接無線通信を行う構成であっても構わない。
【００８８】
すなわち、カメラ本体１００に内蔵された無線通信回路及び無線アンテナを用いてストロボ装置１０００と電波による無線通信を行う構成であってもよい。その場合、カメラ本体１００とストロボ装置３００との間で行われるストロボ装置１０００を制御するための通信は省略され、ストロボ装置３００が行っていたストロボ装置１０００との通信処理はカメラ本体１００が行うことになる。
【００８９】
また、カメラ本体１００やカメラ本体１００に装着されたストロボ装置３００を介してストロボ装置１０００の制御を行う構成ではなく、カメラ本体１００に装着された無線通信装置を用いてストロボ装置１０００の制御を行う構成であってもよい。
【００９０】
また、図１０に示すように、複数のスレーブストロボを含むカメラシステムにも適用可能であり、その場合も、複数のスレーブストロボとカメラ本体で直接、あるいはカメラ本体１００に装着された無線通信装置を介して無線通信を行う構成であってもよい。
【００９１】
また、先幕の動作のばらつきによる変化を補正するための補正値を予め複数記憶しておき、走行回数、温度、姿勢差等に応じて最適な補正値を選択するような構成であってもよい。
【００９２】
以上、本発明の好ましい実施形態について説明したが、本発明はこれらの実施形態に限定されず、その要旨の範囲内で種々の変形及び変更が可能である。
【符号の説明】
【００９３】
１００  カメラ本体
１０１  カメラマイコン
１０２  撮像素子
１０３  シャッターユニット
１１６  無線通信回路
１１７  無線アンテナ
３００  ストロボ装置（マスターストロボ）
３１０  ストロボマイコン
３２４  無線通信回路
３２５  無線アンテナ
１０００  ストロボ装置（スレーブストロボ）
【図１】
2012150285.tif 000003
【図２】
2012150285.tif 000004
【図３】
2012150285.tif 000005
【図４】
2012150285.tif 000006
【図５】
2012150285.tif 000007
【図６】
2012150285.tif 000008
【図７】
2012150285.tif 000009
【図８】
2012150285.tif 000010
【図９】
2012150285.tif 000011
【図１０】
2012150285.tif 000012